(57)【要約】      （修正有）【課題】操作が容易で、リベット固定が快速にできるリベット固定機構造を提供する。【解決手段】リベット固定機構造は、主に、電動、気動、或いは、電池式のドリル、或いは、ドライバーの伝動軸８１、及び、伝動軸８１に設置された牙片定位管２、内管スリーブ１、推進器４、爪片３１、阻断器７、及び、外管スリーブ５等の素子からなり、電気ドリル、或いは、ドライバーの伝動構造の帯動により、リベットが、穿設する棒体を阻断器前端に置入し、リベットを鋼、鉄、銅、アルミ板等の固定孔に配置した後、牙片定位管２により内圧されて、伝動軸８１が結合し、固定孔に穿設されたリベットは、牙片定位管２により後に引かれ、穿設端が押圧されて、定位突起を形成し、リベットは両金属類板片中で固定されると共に、牙片定位管２が内管スリーブ１の承開室１２に進入した後、円穴２５の牙片２６が外張し、牙片定位管２が回復定位し、阻断器７により棒体を切断する。【選択図】図２
0003146383.tif 000002
【実用新案登録請求の範囲】
【請求項１】
リベットガン固定機構造であって、内管スリーブ、牙片定位管、爪片室、推進器、外管スリーブ、推進定位素子、及び、阻断器、からなり、
前記内管スリーブは後縁に螺牙を設置して、電動、或いは、電池式のドリル、或いは、ドライバ構造をに鎖合され、前記螺牙前方内縁は、承開室を有し、その管体に対称な孔を設置し、  
前記牙片定位管は、前端にばね室を有し、前記ばね室外縁は螺牙を有し、前記螺牙後方は環体を設置し、前記環体により両定位鞘と管体が連接し、後端は対称な円穴を有し、両牙片を置入し、前記両牙片は円弧状で、底縁は螺紋を有し、
前記爪片室は、前記牙片定位管の螺牙に鎖合され、前端は錐状で、内部は口ばし状の爪片を置入し、及び、前端が錐状の承開器は、ばねを設置し、前記牙片定位管のばね室に配置され、
前記推進器は、前記爪片室に置入され、前端は螺牙を有し、外管スリーブから穿過後、推進定位素子に鎖合され、その管体は対称な孔を有し、前記牙片定位管の定位鞘が滑動し、
前記阻断器は、前記推進定位素子に鎖合され、固定孔を設置し、前記外管スリーブはばねを置入後、前記内管スリーブに鎖合され、
前述の素子の組み合わせにより、リベット固定機構造を構成し、棒体を穿過するリベットは、棒体を前記阻断器前端に置入して、更に、リベットを両鋼、鉄、銅、アルミ板等の固定孔に設置した後、前記推進器を圧入し、前記牙片定位管の牙片と電池式ドリルの伝動軸と結合し、前記電池式ドリル、或いは、ドライバーを起動させ、前記電池式ドリル、或いは、ドライバーの伝動軸により前記牙片定位管の牙片を帯動し、前記牙片定位管を内に引き、固定孔を穿過するリベットは、前記牙片定位管の後に引かれる力により、穿設端が押圧力を形成し、定位突起を形成して、両金属類板片中で固定され、前記牙片定位管が前記内管スリーブの承開室に進入した後、前記伝動軸上の錐度により、両牙片を開き、円穴の牙片が外に開き、更に、既に押圧されたばねにより、瞬間的に、前記推進器、及び、前記牙片定位管を回復定位させ、前記阻断器により棒体を切断し、リベットの組み立て固定作業が更に便利で実用的であることを特徴とするリベットガン固定機構造。
【請求項２】
前記牙片定位管円穴の牙片は、前端上縁に傾斜部を有し、外張後、前記内管スリーブに戻り、定位することを特徴とする請求項１に記載のリベット固定機構造。
【考案の詳細な説明】
【技術分野】
【０００１】
本考案は、リベットガン固定機構造に関するものであって、特に、操作が容易で、リベット固定が快速にできる伝動構造設計に関するものである。
【背景技術】
【０００２】
一般のリベットガンは、室内、室外での使用時、空気圧縮機による動力エネルギーの提供を必要とする。工場内で使用時には問題ないが、外の現場で使用する場合に、重量が重いことや同時に使用する空気圧縮機の騒音問題がある。
【考案の開示】
【考案が解決しようとする課題】
【０００３】
本考案の目的は、リベットの組み立て固定操作が便利で、組み立て後、リベットが緊密に、形式と体積を制限しない金属板上に固定され、脱落しにくいリベットガン固定機構造を提供することにある。
【課題を解決するための手段】
【０００４】
本考案のリベットガン固定機構造は、主に、内管スリーブ、牙片定位管、爪片室、推進器、外管スリーブ、推進定位素子、及び、阻断器、からなる。
【考案の効果】
【０００５】
本考案により、公知の重量が重いことや同時に使用する空気圧縮機の騒音の問題が解決される。
【考案を実施するための最良の形態】
【０００６】
図１と図２、及び、図３は、本考案の立体図、立体分解図、断面図である。本考案は、主に、内管スリーブ１、牙片定位管２、爪片室３、推進器４、外管スリーブ５、推進定位素子６、及び、阻断器７、からなる。内管スリーブ１は、後縁内外径に螺牙１１を設置して、電池式ドリル８の伝動構造に鎖合し、螺牙１１前方内縁に、承開室１２を設置し、管体に対称な孔１３を有する。
【０００７】
牙片定位管２は、前端にばね室２１を設置し、ばね室２１外縁は螺牙２２を設置し、螺牙２２後方に環体２３を設置し、環体２３により二定位鞘２４と管体を連接し、後端は対称な円穴２５を設置して、二牙片２６を置入する。二牙片２６は円弧状で、前端上縁は傾斜部２６１で、底縁は螺紋２６２を有する。
【０００８】
爪片室３は、牙片定位管２の螺牙２２に鎖合され、前端は錐状で、内部に口ばし状の爪片３１を設置し、及び、前端は錐状の承開器３２で、承開器３２がばね３３を設置した後、牙片定位管２のばね室２１に配置される。
【０００９】
推進器４は、爪片室３を置入し、前端は螺牙４１を設置し、外管スリーブ５により穿過した後、推進定位素子６に鎖合され、管体は、対称な孔４２を有して、牙片定位管２の定位鞘２４を滑動させる。
【００１０】
阻断器７は、推進定位素子６に鎖合され、固定孔７１を有する。
【００１１】
外管スリーブ５は、ばね５１を置入後、内管スリーブ１に鎖合される。
【００１２】
前述の素子の組み合わせにより、リベット固定機構造を構成し、棒体を穿過するリベットは、棒体を阻断器７前端に置入して、更に、リベットを両鋼、鉄、銅、アルミ板等の固定孔に設置した後、推進器４を圧入し、牙片定位管２の牙片２６と電池式ドリル８の伝動軸８１と結合し、電池式ドリル８を起動させ、電池式ドリル８の伝動軸８１により牙片定位管２の牙片２６を帯動し、牙片定位管２を内に引き、固定孔を穿過するリベットは、牙片定位管２の後に引かれる力により、穿設端が押圧力を形成し、定位突起を形成して、両金属類板片中で固定され、牙片定位管２が内管スリーブ２の承開室１２に進入した後、伝動軸上の錐度１８により、両牙片を開き、円穴２５の牙片２６が外に開き、更に、既に押圧されたばね５１により、瞬間的に、推進器４、及び、牙片定位管２を回復定位させ、阻断器７により棒体を切断し、リベットの組み立て固定作業が更に便利で実用的である。
【００１３】
図４と図５は、本考案のリベット実施例図、及び、断面実施例図である。本考案の使用時、まず、棒体９１を穿設したリベット９は、棒体９１を阻断器７前端に置入する。置入時、推進器４、及び、推進定位素子６を内圧し、推進器４内の爪片３１は、阻断器７との脱離により、棒体９１が緊密に結合し、ドリル、或いは、ドライバー８により、牙片定位管２の牙片２６と電池式ドリル８の伝動軸８１が結合する。
【００１４】
図６は、本考案のリベットが鋼板固定孔を穿設する実施例図である。まず、両鋼板１０、２０（或いは、鉄、銅、アルミ等の金属板）に固定孔１０１、２０１を開け、リベット９の棒体９１を阻断器７前後に旋合し、リベット９を電池式ドリル８前端に定位させ、リベット９が両鋼板１０、２０（或いは、鉄、銅、アルミ等の金属板）に開けられた固定孔１０１、２０１を穿過する。
【００１５】
図７は、本考案のリベット後の引き動作の実施例図である。リベット９は両鋼板１０、２０（或いは、鉄、銅、アルミ等の金属板）に開けられた固定孔１０１、２０１を穿過した後、電池式ドリル８を起動し、電池式ドリル８の伝動軸８１により、牙片定位管２の円穴２５上の牙片２６を帯動し、牙片定位管２を内に引き、固定孔１０１、２０１を穿設するリベット９は、牙片定位管２は後引き力により、穿設端が押圧されて、定位突起を形成し、リベット９は両鋼板１０、２０中で押圧されて固定し、鋼板１０、２０を結合すると共に、牙片定位管２で内管スリーブ１の承開室１２に進入した後、承開室１２の空間により、牙片定位管２の円穴の牙片２６が外張して、牙片定位管は、ばね５１の弾力、及び、その上縁に設けられた傾斜部２６１により回復定位し、阻断器７により棒体を切断して、リベットの組み立て固定作業が完成する。
【００１６】
図８は、本考案のリベットのリベット操作実施例図である。図のように、本考案の操作工程全体で、リベット９は両鋼板１０、２０が開設する固定孔１０１、２０１を穿過し、リベット９は、穿設端に形成された押圧力により、定位突起を形成し、リベット９が鋼板１０、２０中で固定され、鋼板１０、２０を結合し、作業工程全体が快速で、リベット結合後のリベット９が緊密に固定し、脱落する。
【図面の簡単な説明】
【００１７】
【図１】本考案の立体図である。
【図２】本考案の立体分解図である。
【図３】本考案の断面図である。
【図４】本考案のリベット置入の実施例図である。
【図５】本考案のリベット置入の断面実施例図である。
【図６】本考案のリベットが鋼板固定孔を穿設する実施例図である。
【図７】本考案のリベットを後に引く動作の実施例図である。
【図８】本考案のリベットのリベット打ちの実施例図である。
【符号の説明】
【００１８】
内管スリーブ１
牙片定位管２
爪片室３
推進器４
外管スリーブ５
推進定位素子６
阻断器７
電池式ドリル８
伝動軸８１
両鋼板１０、２０
螺牙１１
承開室１２
孔１３、
ばね室２１
螺牙２２
環体２３
定位鞘２４
円穴２５
牙片２６
傾斜部２６１
螺紋２６２
爪片３１、
承開器３２
ばね３３
螺牙４１
孔４２
ばね５１
固定孔７１
棒体９１
固定孔１０１、２０１
【図１】
0003146383.tif 000003
【図２】
0003146383.tif 000004
【図３】
0003146383.tif 000005
【図４】
0003146383.tif 000006
【図５】
0003146383.tif 000007
【図６】
0003146383.tif 000008
【図７】
0003146383.tif 000009
【図８】
0003146383.tif 000010